(57)【要約】      （修正有）【課題】使用の便利性が向上するロックボックスを提供する。【解決手段】ロックボックス９００は、ケース１００、カバー２００、及びチェーン３００を備える。ケースの内部に収容空間１０１を有する。ケースは、ケース開口１１０、ロック穴１２０、及びロック体１３０を含む。カバーは、ケース開口に蓋合されて収容空間を閉塞することが可能である。カバーは、カバー固定部材２１０、カバージャック２２０、及び変位制限装置を含む。カバーがケース開口に蓋合されている場合に、カバー固定部材は、ロック穴に差し込んでおり、ロック体によってロックされる。変位制限装置は、カバーのケース開口に対向する側に凸設されている回し部材を有する。チェーンは、一端がケース又はカバーのうち一方に固定されており、他端がチェーン固定部材３１０を有する。チェーン固定部材は、カバージャック２２０に挿入して変位制限装置によって移動が制限される。【選択図】図４
0003217374.tif 000002
【実用新案登録請求の範囲】
【請求項１】
内部に収容空間を有するケースであって、
ケース開口と、
当該ケースにおける当該ケース開口以外の位置に設けられているロック穴と、
当該ケースにおける当該ケース開口及び当該ロック穴以外の位置に設けられているロック体とを含むケースと、
当該ケース開口に蓋合されて当該収容空間を閉塞することが可能であるカバーであって、
当該カバーの当該ケース開口に対向する側に凸設されており、当該カバーが当該ケース開口に蓋合されている場合に、当該ロック穴に差し込んでおり、当該ロック体によってロックされることが可能であるカバー固定部材と、
当該カバーの当該カバー固定部材とは反対側に設けられているカバージャックと、
当該カバー内に設けられており、当該カバーの当該ケース開口に対向する側に凸設されている回し部材を有する変位制限装置とを含むカバーと、
一端が、当該ケース又は当該カバーのうち一方に固定されており、他端が、当該カバージャックに挿入して当該変位制限装置によって移動が制限されることが可能であるチェーン固定部材を有し、当該カバーが当該ケース開口に蓋合されていない場合に、当該回し部材は当該収容空間外に露出し、ユーザは、当該回し部材に力を加えて変位制限装置に当該チェーン固定部材の移動に対する制限を解除させることができるチェーンと、を備えるロックボックス。
【請求項２】
当該変位制限装置は、
当該回し部材と、
当該回し部材と接続されている係止ブロックであって、当該チェーン固定部材が当該カバージャックに挿入して当該係止ブロックに係合することが可能である係止ブロックと、
当該係止ブロックと当該カバーの内側壁との間に設けられている弾性部材とを含む請求項１に記載のロックボックス。
【請求項３】
当該チェーン固定部材は、フック状物である請求項２に記載のロックボックス。
【請求項４】
当該係止ブロックは係止ブロック穴を有し、当該チェーン固定部材は、当該カバージャックに挿入して当該係止ブロック穴に係合することが可能である請求項３に記載のロックボックス。
【請求項５】
当該係止ブロックは係合部を有し、当該チェーン固定部材は、当該カバージャックに挿入して当該係合部に係合することが可能である請求項３に記載のロックボックス。
【請求項６】
当該チェーン固定部材は、固定穴を有する請求項２に記載のロックボックス。
【請求項７】
当該係止ブロックは、係合部材を有し、当該チェーン固定部材は、当該カバージャックに挿入して当該係合部材を当該固定穴に係合させることが可能である請求項６に記載のロックボックス。
【請求項８】
当該カバーは、当該ケースの一側辺に枢着されている請求項１に記載のロックボックス。
【請求項９】
当該カバーと当該ケースとは、完全に分離可能である請求項１に記載のロックボックス。
【請求項１０】
当該カバー固定部材は、フック状物である請求項１に記載のロックボックス。
【考案の詳細な説明】
【技術分野】
【０００１】
本考案はロックボックスに関する。
【背景技術】
【０００２】
錠前は、居住や使用空間の安全を保障し、又は意図的な窃取及び物品を無意識に間違えて取ることを防止するために広く用いられている。しかしながら、ユーザが鍵を不注意に遺失し又は投げ捨てたことにより、錠前を開けることができなくなり、錠前屋に錠前を開け又は破壊してもらうなどの特別の支出及び不便が生じてしまうことがよくある。したがって、ロックボックスを用いて鍵を保管することにより上記した状況の発生を回避することが提案されている。
【０００３】
他方、人々は、外出レジャーの際に、ホテルの部屋鍵、カードなどのような身に付けている物品に対しても、盗難防止のニーズがあり、このとき、ロックボックスを使用する可能性もある。
【０００４】
しかしながら、従来のロックボックスは、同時にそのボックスカバー及びチェーンをロックし、開放する必要があり、使用が不便であり、まだ改善の余地がある。
【考案の概要】
【０００５】
本考案は、従来技術の遭った前記問題を解決するためにロックボックスを提供することを目的とする。
【０００６】
本考案の実施例において、本考案のロックボックスは、ケース、カバー、及びチェーンを備える。ケースの内部に収容空間を有する。ケースは、ケース開口、ロック穴、及びロック体を含む。ロック穴は、ケースにおけるケース開口以外の位置に設けられている。ロック体は、ケースにおけるケース開口及びロック穴以外の位置に設けられている。カバーは、ケース開口に蓋合されて収容空間を閉塞することが可能である。カバーは、カバー固定部材、カバージャック、及び変位制限装置を含む。カバー固定部材は、カバーのケース開口に対向する側に凸設されており、カバーがケース開口に蓋合されている場合に、カバー固定部材は、ロック穴に差し込んでおり、ロック体によってロックされることが可能である。カバージャックは、カバーのカバー固定部材とは反対側に設けられている。変位制限装置は、カバー内に設けられており、変位制限装置は、カバーのケース開口に対向する側に凸設されている回し部材を有する。チェーンは、一端がケース又はカバーのうち一方に固定されており、他端がチェーン固定部材を有する。チェーン固定部材は、カバージャックに挿入して変位制限装置によって移動が制限されることが可能である。カバーがケース開口に蓋合されていない場合に、回し部材は収容空間外に露出し、ユーザは、回し部材に力を加えて変位制限装置にチェーン固定部材の移動に対する制限を解除させることができる。
【０００７】
本考案の実施例において、変位制限装置は、回し部材、係止ブロック、及び弾性部材を含む。係止ブロックは、回し部材と接続されており、チェーン固定部材は、カバージャックに挿入して係止ブロックに係合することが可能である。弾性部材は、係止ブロックとカバーの内側壁との間に設けられている。
【０００８】
本考案の実施例において、チェーン固定部材は、フック状物である。
【０００９】
本考案の実施例において、係止ブロックは係止ブロック穴を有し、チェーン固定部材は、カバージャックに挿入して係止ブロック穴に係合することが可能である。
【００１０】
本考案の実施例において、係止ブロックは係合部を有し、チェーン固定部材は、カバージャックに挿入して係合部に係合することが可能である。
【００１１】
本考案の実施例において、チェーン固定部材は、固定穴を有する。
【００１２】
本考案の実施例において、係止ブロックは係合部材を有し、チェーン固定部材は、カバージャックに挿入して係合部材を固定穴に係合させることが可能である。
【００１３】
本考案の実施例において、カバーは、ケースの一側辺に枢着されている。
【００１４】
本考案の実施例において、カバーとケースとは、完全に分離可能である。
【００１５】
本考案の実施例において、カバー固定部材は、フック状物である。
【００１６】
上記により、本考案のロックボックスを使用すると、選択的にカバーを開け、又はチェーンを外すことができ、使用の便利性が向上し、背景技術において言及する課題を解決できる。
【００１７】
上記の一般的な説明及び下記の具体的な実施形態が例示的及び説明的なものに過ぎず、本考案の主張しようとする範囲を制限するものではないことを理解すべきである。
【図面の簡単な説明】
【００１８】
【図１】本考案のロックボックスのカバーがケースに蓋合され、チェーンが閉鎖状態である実施例模式図である。
【図２】本考案のロックボックスのカバーが開いており、チェーンが閉鎖状態である実施例模式図である。
【図３】図３Ａ及び図３Ｂは、本考案のロックボックスのカバーが開いており、チェーンが閉鎖状態である実施例模式図である。
【図４】本考案のロックボックスのカバー及びチェーンがいずれも開放状態である実施例模式図である。
【図５】本考案のロックボックスのカバーがケースに蓋合され、チェーンが開放状態である実施例模式図である。
【図６】図６Ａ及び図６Ｂは、本考案のロックボックスにおける変位制限装置とチェーン固定部材の間の作動実施例模式図である。
【図７】図７Ａ及び図７Ｂは、本考案のロックボックスにおける変位制限装置とチェーン固定部材の間の作動実施例模式図である。
【図８】本考案のロックボックスにおける変位制限装置とチェーン固定部材の間の作動実施例模式図である。
【図９】本考案のロックボックスにおけるチェーン固定部材及び変位制限装置の別の実施例模式図である。
【図１０】本考案のロックボックスにおけるチェーン固定部材及び変位制限装置の別の実施例模式図である。
【考案を実施するための形態】
【００１９】
図１及び図２に示すような実施例において、本考案のロックボックス９００は、ケース１００、カバー２００、及びチェーン３００を備える。図２に示すように、ケース１００の内部に収容空間１０１を有する。ケース１００は、ケース開口１１０、ロック穴１２０、及びロック体１３０を含む。ロック穴１２０は、ケース１００におけるケース開口１１０以外の位置に設けられている。ロック体１３０は、ケース１００におけるケース開口１１０及びロック穴１２０以外の位置に設けられている。カバー２００は、ケース開口１１０に蓋合されて収容空間１０１を閉塞することが可能である。図１及び図２に示す実施例において、カバー２００は、ケース１００の一側辺に枢着されており、カバー２００は、ケース１００に対して回転して開くことができる。しかしながら、別の実施例において、カバー２００とケース１００とは、完全に分離可能である。
【００２０】
図３Ａ及び３Ｂに示すような実施例において、カバー２００は、カバー固定部材２１０、カバージャック２２０、及び変位制限装置２３０を含む。カバー固定部材２１０は、カバー２００のケース開口１１０に対向する側に凸設されており、カバー２００がケース開口１１０に蓋合されている場合に、カバー固定部材２１０は、ロック穴１２０（図２を参照）に差し込んでおり、ロック体１３０によってロックされることが可能である。この実施例において、カバー固定部材２１０はフック状物である。しかしながら、別の実施例において、カバー固定部材２１０の構造は、使用、設計や製造のニーズに応じて変更することができる。カバージャック２２０は、カバー２００のカバー固定部材２１０とは反対側に設けられている。変位制限装置２３０は、カバー２００内に設けられており、変位制限装置２３０は、カバー２００のケース開口１１０に対向する側に凸設されている回し部材２３１を有する。
【００２１】
図２に示すような実施例において、チェーン３００は、一端３０２がケース１００に固定されており、他端３０１がチェーン固定部材３１０（図４を参照）を有する。しかしながら、別の実施例において、チェーン３００の一端３０２は、カバー２００に固定されている。チェーン固定部材３１０は、カバージャック２２０に挿入して変位制限装置２３０（図３Ｂを参照）によって移動が制限されることが可能である。図３Ａ及び３Ｂに示すような実施例において、カバー２００がケース開口１１０に蓋合されていない場合に、回し部材２３１は収容空間１０１外に露出し、ユーザは、回し部材２３１に力を加えて変位制限装置２３０にチェーン固定部材３１０の移動に対する制限を解除させることができる。この時、図４に示す実施例のように、チェーン固定部材３１０及びチェーン３００の他端３０１は、カバージャック２２０から離れることができ、即ち、チェーン３００は開放状態である。他方、ユーザは、図５に示すように、さらにカバー２００をケース１００に蓋合することもできる。
【００２２】
上記により、ユーザは、選択的にカバー２００を開け、又はチェーン３００を外すことができ、使用の便利性が向上した。より具体的には、ユーザは、図４に示すようにカバー２００を開けるとともにチェーン３００を外して、カード、鍵などのような保管しようとする物品をケース１００の収容空間１０１内に置いた後、図５に示すようにカバー２００をケース１００に蓋合して物品が落ちることを回避することができる。その後、ユーザは、ロックボックス９００をロックしたい物体（例えば、砂浜の寝椅子）の位置に到達したら、チェーン３００を当該物体に穿設してから、チェーン固定部材３１０をカバージャック２２０に挿入する。回し部材２３１は、カバー２００がケース開口１１０に蓋合されていない場合のみに収容空間１０１外に露出するので、まずロック体１３０を開放してカバー２００を開ける必要があり、そうしないと、チェーン固定部材３１０をカバージャック２２０から引き抜くことができない。これによって、ロックボックス９００を物体にロックすることができる。さらには、本考案のロックボックス９００は、１つのロック体１３０だけで、カバー２００に対する直接ロック及びチェーン３００に対する間接ロックを完成できる。
【００２３】
以下、変位制限装置２３０とチェーン固定部材３１０の間の作動をさらに説明する。
【００２４】
図６Ａ〜図８に示すような実施例において、変位制限装置２３０は、回し部材２３１、係止ブロック２３２、及び弾性部材２３３を含む。係止ブロック２３２は、回し部材２３１と接続されており、チェーン固定部材３１０は、カバージャック２２０（図４を参照）に挿入して係止ブロック２３２に係合することが可能である。弾性部材２３３は、係止ブロック２３２とカバー２００（図４を参照）の内側壁との間に設けられている。
【００２５】
より具体的には、チェーン固定部材３１０はフック状物であり（図８を参照）、係止ブロック２３２は、係止ブロック穴２３４を有する。図６Ａ及び６Ｂに示すように、チェーン固定部材３１０は、カバージャック２２０（図４を参照）に挿入して係止ブロック穴２３４に係合することが可能である。ユーザが回し部材２３１に力を加えて変位制限装置２３０を図７Ａ及び７Ｂに示すような位置まで移動させた場合、チェーン固定部材３１０が係止ブロック穴２３４に係合していないので、変位制限装置２３０は、チェーン固定部材３１０の移動に対する制限を解除する。この時、図８に示す実施例のように、チェーン固定部材３１０は、変位制限装置２３０から離れることができ、即ち、チェーン３００は開放状態である。
【００２６】
別の実施例において、チェーン固定部材３１０及び係止ブロック２３２は、使用、設計や製造などのニーズに応じて別の配置を有してもよい。例えば図９に示す実施例において、係止ブロック２３２は係合部２３５を有し、チェーン固定部材３１０は、カバージャックに挿入して係合部２３５に係合することが可能である。また、例えば図１０に示す実施例において、チェーン固定部材３１０は固定穴３１１を有する。係止ブロック２３２は係合部材２３６を有し、チェーン固定部材３１０は、カバージャックに挿入して係合部材２３６を固定穴３１１に係合させることが可能である。
【００２７】
前記の説明及び図面により既に本考案の好ましい実施例を開示したが、各種の追加、多くの変更及び置換が本考案の好ましい実施例に使用可能であり、添付する実用新案登録請求の範囲によって限定されるような本考案の原理の趣旨及び範囲を逸脱することがないことを理解しなければならない。当業者は、本考案が多くの形式、構造、配置、割合、材料、部品及び部材の変更に使用可能であることが分かる。したがって、本明細書に開示した実施例は、本考案を限定するためのものではなく、本考案を説明するためのものと見なされるべきである。本考案の範囲は、以下に添付する実用新案登録請求の範囲によって限定されるべきであり、その合法的な均等物を含み、以上の説明に限らない。
【符号の説明】
【００２８】
１００ : ケース
１０１ : 収容空間
１１０ : ケース開口
１２０ : ロック穴
１３０ : ロック体
２００ : カバー
２１０ : カバー固定部材
２２０ : カバージャック
２３０ : 変位制限装置
２３１ : 回し部材
２３２ : 係止ブロック
２３３ : 弾性部材
２３４ : 係止ブロック穴
２３５ : 係合部
２３６ : 係合部材
３００ : チェーン
３０１ : 端
３０２ : 端
３１０ : チェーン固定部材
４１０ : 拡大領域
９００ : ロックボックス
【図１】
0003217374.tif 000003
【図２】
0003217374.tif 000004
【図３】
0003217374.tif 000005
【図４】
0003217374.tif 000006
【図５】
0003217374.tif 000007
【図６】
0003217374.tif 000008
【図７】
0003217374.tif 000009
【図８】
0003217374.tif 000010
【図９】
0003217374.tif 000011
【図１０】
0003217374.tif 000012